(57)【要約】      （修正有）【課題】遠隔端末ブルートゥース装置からの着信と一般電話からの着信を同時に検知でき、かつ、ブルートゥース無線通信および欧州デジタルコードレス電気通信標準の技術で遠隔端末と両方通信または三方通信を行うヘッドセットを提供する。【解決手段】マイクロプロセサ３３は、第１の着信信号Ｓ１または第２の着信信号Ｓ２をスピーカ３５に伝送し、並びに、第１の遠隔端末装置に返信信号Ｓ３をブルートゥースモジュール３１により無線伝送し、或いは第２の遠隔端末装置に返信信号Ｓ３をデジタル欧州コードレス電話システム（DECT）通信モジュール３２により無線伝送するように第１の制御信号Ｓ４に制御される。第１の遠隔端末装置が着信を受けている時に第１の着信信号Ｓ１を出力し、第２の遠隔端末装置Ｓ２が着信を受けている時に第２の着信信号Ｓ２を出力し、マイク３４は、返信信号Ｓ３を出力する。【選択図】図４
0003163176.tif 000002
【実用新案登録請求の範囲】
【請求項１】
第１の遠隔端末装置と第２の遠隔端末装置とに無線接続されたデュアルモード通信用ヘッドセットであって、
前記第１の遠隔端末装置に無線接続され、前記第１の遠隔端末装置が着信を受けた際に第１の着信信号を出力する第１の通信モジュールと、前記第２の遠隔端末装置に無線接続され、前記第２の遠隔端末装置が着信を受けた際に第２の着信信号を出力する第２の通信モジュールと、返信信号を出力するマイクと、スピーカと、前記第１の通信モジュールと前記第２の通信モジュールと前記マイクと前記スピーカとにそれぞれ接続されたマイクロプロセサとを含み、
前記マイクロプロセサは、
第１の制御信号の制御により前記第１の着信信号、または前記第２の着信信号を前記スピーカに伝送すると共に、前記返信信号を前記第１の通信モジュールを介して前記第１の遠隔端末装置に無線伝送するか、或いは前記返信信号を前記第２の通信モジュールを介して前記第２の遠隔端末装置に無線伝送し、
もしくは、第２の制御信号の制御により前記第１の着信信号と前記第２の着信信号とを前記スピーカに同時に伝送すると共に、前記返信信号を前記第１の通信モジュールおよび前記第２の通信モジュールを介して前記第１の遠隔端末装置および前記第２の遠隔端末装置とに同時に無線伝送し、更に、前記第１の着信信号を前記第２の通信モジュールを介して前記第２の遠隔端末装置に無線伝送すると共に前記第２の着信信号を前記第１の通信モジュールを介して前記第１の遠隔端末装置に無線伝送することを特徴とするデュアルモード通信用ヘッドセット。
【請求項２】
前記マイクロプロセサに接続され、前記マイクロプロセサに前記第１の制御信号または通話切断信号を出力する第１の通話ボタンをさらに含むことを特徴とする請求項１に記載のデュアルモード通信用ヘッドセット。
【請求項３】
前記マイクロプロセサに接続され、前記マイクロプロセサに前記第２の制御信号を出力する第２の通話ボタンをさらに含むことを特徴とする請求項２に記載のデュアルモード通信用ヘッドセット。
【請求項４】
前記マイクロプロセサに接続され、前記マイクロプロセサに音量制御信号を出力する音量調整ボタンをさらに含むことを特徴とする請求項３に記載のデュアルモード通信用ヘッドセット。
【請求項５】
前記第１の通信モジュールは、ブルートゥース通信モジュールであり、前記第２の通信モジュールは、デジタル欧州コードレス電話システム（DECT)通信モジュールであることを特徴とする請求項１に記載のデュアルモード通信用ヘッドセット。
【請求項６】
前記第１の遠隔端末装置は、ブルートゥース携帯装置であることを特徴とする請求項５に記載のデュアルモード通信用ヘッドセット。
【請求項７】
前記第２の遠隔端末装置は、一般電話の台座であり、前記一般電話の台座にヘッドセット収容溝が設けられ、前記ヘッドセット収容溝内に磁性部材を有することを特徴とする請求項６に記載のデュアルモード通信用ヘッドセット。
【請求項８】
前記デュアルモード通信用ヘッドセットは、前記ヘッドセット収容溝内に分離可能に設けられ、前記デュアルモード通信用ヘッドセットは、ヘッドセットケースを有し、前記ヘッドセットケースに前記磁性部材に対応する磁性体が設けられることを特徴とする請求項７に記載のデュアルモード通信用ヘッドセット。
【請求項９】
前記一般電話の台座は、さらに、前記ヘッドセット収容溝に前記デュアルモード通信用ヘッドセットをロックするためのロック手段が設けられていることを特徴とする請求項８に記載のデュアルモード通信用ヘッドセット。
【考案の詳細な説明】
【技術分野】
【０００１】
本考案は、デュアルモード通信用ヘッドセットに係り、特に、デュアル通信モジュールを整合したヘッドセットに関するものである。
【背景技術】
【０００２】
現在、良く使われている通信システムは、主に、携帯電話および一般電話の２種類の通信システムを使用しており、これらの通信システムは、それぞれ独立に運行されている。そのため、ユーザが携帯電話で通話中に、一般電話からの着信を同時に受けられない。また、ユーザが一般電話で通話している際にも、携帯電話で着信を同時に受けられない。
【０００３】
図１は、従来の無線電話機セットの外見を示す図である。図１を参照すると、無線電話機セット１は、主に一般電話の通信に使われ、通常無線ダイヤル電話機１２と通信用台座１４とで組み合わせられる。無線ダイヤル電話機１２と通信用台座１４との間は、欧州デジタルコードレス電気通信標準（Digital Enhanced CordlessTelecommunication；DECT）技術で無線接続されるとともに、通信用台座１４が一般電話回線ネットワーク１６に接続される。ユーザは、無線ダイヤル電話機１２を持って一般電話の通信を無線で行うことができる。
しかしながら、無線ダイヤル電話機１２は、無線機能を備えるが、ユーザが電話機を長く持つと、手や腕がだるくなり、長時間の通話には不便である。
【０００４】
図２は、従来のブルートゥースヘッドセットとブルートゥース携帯電話との通信を示す構成図である。ブルートゥース携帯電話２０およびブルートゥースヘッドセット２２は、主に携帯電話の通信に使われる。
ブルートゥース携帯電話２０の音声着信メッセージ２４は、ブルートゥース通信技術によってブルートゥースヘッドセット２２に無線伝送される。また、ブルートゥースヘッドセット２２を介してブルートゥース携帯電話２０に送信しようとする音声メッセージ２６は、ブルートゥース通信技術によって無線伝送される。即ち、双方向の音声伝送が行なわれる。このため、ユーザは、様々な場所で受話器を持たずに通話ができる。
【０００５】
ブルートゥースヘッドセット２２は、受話器を持たずに通話ができる利点を有するが、ブルートゥース携帯電話２０との双方向の音声伝送しかできず、一般電話との通信ができない。
そのため、ユーザは、ブルートゥースヘッドセット２２で一般電話との通話ができず、ブルートゥースヘッドセット２２を用いて携帯電話の通信を行う時に、一般電話からの着信を受け取れなくなる。
【考案の概要】
【考案が解決しようとする課題】
【０００６】
上記に鑑みて本考案は、遠隔端末ブルートゥース装置からの着信と一般電話からの着信を同時に検知でき、かつ、ブルートゥース無線通信および欧州デジタルコードレス電気通信標準の技術で遠隔端末と両方通信または三方通信を行うことができるデュアルモード通信用ヘッドセットを提供する。
【課題を解決するための手段】
【０００７】
本考案におけるデュアルモード通信用ヘッドセットは、第１の遠隔端末装置と第２の遠隔端末装置とに無線通信を行う。デュアルモード通信用ヘッドセットは、第１の通信モジュールと、第２の通信モジュールと、マイクと、スピーカと、マイクロプロセサとを含む。第１の通信モジュールは、第１の遠隔端末装置と無線通信を行ない、第１の遠隔端末装置が着信を受けた際に第１の着信信号を出力する。第２の通信モジュールは、第２の遠隔端末装置と無線通信を行ない、第２の遠隔端末装置が着信を受けた際、第２の着信信号を出力する。また、マイクは、返信信号を出力する。
【０００８】
マイクロプロセサは、第１の通信モジュール、第２の通信モジュール、マイクおよびスピーカに接続され、第１の着信信号または第２の着信信号をスピーカに伝送すると共に、第１の制御信号の制御により、返信信号を、第１通話モジュールを介して第１の遠隔端末装置に無線伝送する。もしくは、第２の通話モジュールを介して第２の遠隔端末装置に無線伝送する。
【０００９】
また、マイクロプロセサは、第１及び第２の着信信号が同時に着信した際、第２の制御信号の制御により、第１の着信信号及び第１の着信信号をスピーカに同時に伝送し、返信信号を第１の通信モジュール及び第２の通信モジュールを介して、第１遠隔端末装置及び第２の遠隔端末装置へ同時に無線伝送する。
【００１０】
以上のように、本実施例のデュアルモード通信用ヘッドセットのみを用いると、２つの異なるネットワークシステム環境に於いて、何れか一つのネットワークシステムからの着信を選択して受けることで両方通話を行う事や、２つの異なるネットワークシステムからの着信を同時に受けて、２つの異なるネットワークシステムの間の三方通話を行うことができる。このように、本実施例のデュアルモード通信用ヘッドセットは、室内通話において便利であり、何れの着信も逃さず受話できる利点をユーザにもたらす。
【考案の効果】
【００１１】
本考案によれば、遠隔端末ブルートゥース装置からの着信と一般電話からの着信を同時に検知でき、かつ、ブルートゥース無線通信および欧州デジタルコードレス電気通信標準の技術で遠隔端末と両方通信または三方通信を行うことができるデュアルモード通信用ヘッドセットを得ることができる。
【図面の簡単な説明】
【００１２】
【図１】図１は、従来の無線電話機セットの外見を示す図である。
【図２】図２は、従来のブルートゥースヘッドセットとブルートゥース携帯電話との通信を示す構成図である。
【図３Ａ】図３Ａは、本考案に係る実施例の使用環境を示す図である。
【図３Ｂ】図３Ｂは、本考案に係る実施例のロック手段の構造を示す図である。
【図４】図４は、本考案に係る実施例のデュアルモード通信用ヘッドセットの回路を示すブロック図である。
【図５】図５は、本考案に係る実施例の操作可能範囲を示す図である。
【図６】図６は、本考案に係る実施例のデュアルモード通信用ヘッドセットの着信受け方法を示すフローチャートである。
【考案を実施するための形態】
【００１３】
図３Ａは、本考案に係る実施例の使用環境を示す図である。図３Ａを参照すると、本実施例のデュアルモード通信用ヘッドセット３は、第１の遠隔端末装置４とブルートゥース無線通信を行ない、第２の遠隔端末装置５と欧州デジタルコードレス電気通信標準（DECT）方式の無線通信を行う。
なお、第１の遠隔端末装置４は、ブルートゥース携帯装置、例えば、ブルートゥース携帯電話や、ブルートゥースＰＤＡ、ブルートゥースノートブックなどでよい。
一方、第２の遠隔端末装置５は、一般電話の台座であり、一般電話回線ネットワーク６に接続されている。
【００１４】
第２の遠隔端末装置５にはヘッドセット収容溝５２が設けられ、ヘッドセット収容溝５２の内部に磁性部材５４が設けられている。また、本実施例のデュアルモード通信用ヘッドセット３は、ヘッドセット収容溝５２内に収容される。
デュアルモード通信用ヘッドセット３がヘッドセット収容溝５２内に収容されると、デュアルモード通信用ヘッドセット３は、第２の遠隔端末装置５に電気的に接続される。また、デュアルモード通信用ヘッドセット３がヘッドセット収容溝５２から分離されると、デュアルモード通信用ヘッドセット３は、第２の遠隔端末装置５に欧州デジタルコードレス電気通信標準（DECT）により通信接続されるか、もしくは第１の遠隔端末装置４にブルートゥース無線通信技術により通信接続される。
【００１５】
本実施例のデュアルモード通信用ヘッドセット３のヘッドセットケース３９には磁性体３０が設けられ、磁性体３０が第２の遠隔端末装置５上の磁性部材５４に対応している。デュアルモード通信用ヘッドセット３がヘッドセット収容溝５２に近づくと、ヘッドセット収容溝５２内の磁性部材５４は、デュアルモード通信用ヘッドセット３をヘッドセット収容溝５２内に速やかに収容可能となるように、デュアルモード通信用ヘッドセット３の磁性体３０を吸引する。磁性体３０は、金属部材または他の磁気吸引可能な部材でよい。
【００１６】
このような磁気吸引のデザインによりヘッドセット収容溝５２内の磁性部材５４は、磁気吸引効果を生じる。即ち、デュアルモード通信用ヘッドセット３が第２の遠隔端末装置５のヘッドセット収容溝５２に近づいた際、デュアルモード通信用ヘッドセット３の磁性体３０を吸引し、デュアルモード通信用ヘッドセット３をヘッドセット収容溝５２内に速やかに収容すると共に、第２の遠隔端末装置５に電気的に接続させることができる。
【００１７】
デュアルモード通信用ヘッドセット３が第２の遠隔端末装置５に収容されると、デュアルモード通信用ヘッドセット３と第２の遠隔端末装置５とは、金属接点方式で電気的に接続される。また、第２の遠隔端末装置５は、さらに、幼児等による誤飲事故を防止するため、デュアルモード通信用ヘッドセット３を第２の遠隔端末装置５内に選択的にロック可能とするロック手段５６を設けても良い。
【００１８】
図３Ｂは、本考案に係る実施例のロック手段の構造を示す図である。図３Ａと共に図３Ｂを参照すると、ロック手段５６は、駆動部材５６２と、連結部材５６４と、ロック部材５６６と、弾性部材５６８とで構成される。駆動部材５６２がＤ１方向に作動すると、駆動部材５６２は連結部材５６４を介してロック部材５６６をＤ２方向に移動させ、デュアルモード通信用ヘッドセット３がヘッドセット収容溝５２内にロックされた状態を解放する。一方、駆動部材５６２が下へ作動されると、弾性部材５６８がロック部材５６６を押動して左方向に移動させ、デュアルモード通信用ヘッドセット３をヘッドセット収容溝５２内にロックさせる。
【００１９】
図４は、本考案に係る実施例のデュアルモード通信用ヘッドセットの回路を示すブロック図である。図３Ａと共に図４を参照すると、デュアルモード通信用ヘッドセット３は、ブルートゥース通信モジュール３１と、欧州デジタルコードレス電気通信標準（DECT）通信モジュール３２と、マイクロプロセサ３３と、マイク３４と、スピーカ３５と、第１の通話ボタン３６と、第２の通話ボタン３７と、音量調節ボタン３８とで構成される。
マイクロプロセサ３３は、各部材間の繋がりの処理センタとして、ブルートゥース通信モジュール３１、欧州デジタルコードレス電気通信標準（DECT)通信モジュール３２、マイク３４、スピーカ３５、第１の通話ボタン３６、第２の通話ボタン３７および音量調節ボタン３８に接続されている。
【００２０】
ブルートゥース通信モジュール３１は、第１の遠隔端末装置４と無線通信し、第１の遠隔端末装置４が着信を受けた際に第１の着信信号Ｓ１を出力する。欧州デジタルコードレス電気通信標準（DECT)通信モジュール３２は、第２の遠隔端末装置５と無線通信し、第２の遠隔端末装置５が着信を受けた際に第２の着信信号Ｓ２を出力する。マイク３４は、ユーザが通話した際に返信信号Ｓ３を出力する。
【００２１】
第１の遠隔端末装置４と第２の遠隔端末装置５のうちの何れか一つが着信した際、ユーザは、第１の通話ボタン３６を操作して第１の制御信号Ｓ４を出力する。このとき、マイクロプロセサ３３は、第１の制御信号Ｓ４に制御され、第１の着信信号Ｓ１または第２の着信信号Ｓ２をスピーカ３５に伝送する。また、マイクロプロセサ３３は、マイク３４からの返信信号Ｓ３を同時に受信し、返信信号Ｓ３を、ブルートゥース通信モジュール３１を介して第１の遠隔端末装置４に無線伝送する、或いは、欧州デジタルコードレス電気通信標準（DECT)通信モジュール３２を介して第２の遠隔端末装置５に無線伝送する。このように、第１の遠隔端末装置４の着信もしくは第２の遠隔端末装置５の着信のどちらであっても、ユーザは、本実施例のデュアルモード通信用ヘッドセット３により受話器を持たずに無線通信ができる。
【００２２】
さらに、デュアルモード通信用ヘッドセット３が第１の遠隔端末装置４と無線通信を行なっている際に、第２の遠隔端末装置５からの着信が割り込みされた時、ユーザは、第２の通話ボタン３７を操作して第２の制御信号Ｓ５を出力する。マイクロプロセサ３３は、第２の制御信号Ｓ５に制御され、第１の着信信号Ｓ１と第２の着信信号Ｓ２とをスピーカ３５に同時に伝送し、かつ、ブルートゥース通信モジュール３１と欧州デジタルコードレス電気通信標準（DECT）通信モジュール３２とをそれぞれ介して対応する第１の遠隔端末装置４および第２の遠隔端末装置５に返信信号Ｓ３を無線伝送する。
【００２３】
同時に、マイクロプロセサ３３は、第２の制御信号Ｓ５に制御され、第１の遠隔端末装置４と第２の遠隔端末装置５との間の架け橋として、欧州デジタルコードレス電気通信標準（DECT）通信モジュール３２を介して第２の遠隔端末装置５に第１の着信信号Ｓ１を無線伝送し、ブルートゥース通信モジュール３１を介して第１の遠隔端末装置４に第２の着信信号Ｓ２を無線伝送することができる。
このように、第１の遠隔端末装置４と第２の遠隔端末装置５とが同時に着信した際、ユーザは、本実施例のデュアルモード通信用ヘッドセット３により受話器を持たずに第１の遠隔端末装置４と第２の遠隔端末装置５の両方に同時に無線伝送することができると共に、第１の遠隔端末装置４および第２の遠隔端末装置５も、本実施例のデュアルモード通信用ヘッドセット３を介して互いに音声伝送ができる。これにより、三方通話の機能を達成している。
【００２４】
マイクロプロセサ３３は、第１の制御信号Ｓ４および第２の制御信号Ｓ５に制御されるほか、音量調節ボタン３８からの音量制御信号Ｓ６にも制御されている。マイクロプロセサ３３は、音量制御信号Ｓ６に基づいて、スピーカ３５の出力音量を調整する。また、マイクロプロセサ３３は、さらに、通話切断信号Ｓ７を受信すると、通話切断信号Ｓ７に基づいて通話を切断することができる。なお、通話切断信号Ｓ７は、前記第１の通話ボタン３６から生じさせられる。
本実施例では、第１の通話ボタン３６を一回目押すと、第１の通話ボタン３６は、第１の制御信号Ｓ４を生じて、マイクロプロセサ３３が着信を受ける機能を実行するように制御する。また、第１の通話ボタン３６を再び押すと、第１の通話ボタン３６が通話切断信号Ｓ７を生じて通話や着信を切断する。また、第１の通話ボタン３６を一定時間、例えば５秒間押し続けると、本実施例のデュアルモード通信用ヘッドセット３の電源はオフとなる。
【００２５】
図５は、本考案に係る実施例の操作可能範囲を示す図である。図５を参照すると、本実施例のデュアルモード通信用ヘッドセット３は、ブルートゥース無線通信ネットワーク７を介して第１の遠隔端末装置４と互いに無線接続される。デュアルモード通信用ヘッドセット３がブルートゥース無線通信ネットワーク７の領域内にあると、第１の遠隔端末装置４と音声の無線伝送を行うことができる。
また、本実施例のデュアルモード通信用ヘッドセット３は、欧州デジタルコードレス電気通信標準（DECT）通信ネットワーク８を介して一般電話回線ネットワーク６に接続された第２の遠隔端末装置５と互いに無線接続される。デュアルモード通信用ヘッドセット３が欧州デジタルコードレス電気通信標準（DECT）ネットワーク８の領域内にあると、第２の遠隔端末装置５と音声の無線伝送を行うことができる。
【００２６】
さらに、デュアルモード通信用ヘッドセット３が、ブルートゥース無線通信ネットワーク７と欧州デジタルコードレス電気通信標準（DECT)通信ネットワーク８とのそれぞれに重複する領域ネットワーク９にあると、デュアルモード通信用ヘッドセット３は、第１の遠隔端末装置４または第２の遠隔端末装置５に接続して両方通話ができると共に、第１の遠隔端末装置４と第２の遠隔端末装置５とに同時に接続して三方通話することもできる。
【００２７】
図６は、本考案に係る実施例のデュアルモード通信用ヘッドセットの着信方法を示すフローチャートである。
図４および図５と共に図６を参照すると、デュアルモード通信用ヘッドセット３が、ブルートゥース無線通信ネットワーク７と欧州デジタルコードレス電気通信標準（DECT）通信ネットワーク８とのそれぞれに重複する領域ネットワーク９に位置するとき、デュアルモード通信用ヘッドセット３は、第１の通信モジュールと第２の通信モジュールとで着信状況を監視して、第１の遠隔端末装置４または第２の遠隔端末装置５の着信であることを判断する（Ｓ１００）。
前記第１の通信モジュールがブルートゥース通信モジュール３１であれば、第２の通信モジュールは欧州デジタルコードレス電気通信標準（DECT)通信モジュール３２であり、前記第１の通信モジュールが欧州デジタルコードレス電気通信標準（DECT)通信モジュール３２であれば、第２の通信モジュールはブルートゥース通信モジュール３１である。
【００２８】
デュアルモード通信用ヘッドセット３の第１の通信モジュールが第１の遠隔端末装置４からの着信信号を検知した後に、該着信信号を受けるかどうかを判断する（Ｓ１０２）。
ステップＳ１０２の後に、ＮＯと判断されると、Ｓ１００に戻り、監視操作を引き続き実行する。また、ステップＳ１０２の後に、ＹＥＳと判断されると、第１の通信モジュールと第１の遠隔端末装置４とはブルートゥース通信の接続を行い、着信先の遠隔端末と両方通話を行う。このとき、第２の通信モジュールは、遠隔端末から着信あるか否かを引き続き監視する（Ｓ１０３）。
【００２９】
第２の通信モジュールが第２の遠隔端末装置５からの割り込み着信信号を検知した際、割り込み着信信号を受けるかどうかを判断する（Ｓ１０７）。
ステップＳ１０７の後に、ＮＯと判断されると、Ｓ１０３に戻り、監視操作を引き続き実行する。また、ステップＳ１０７の後に、ＹＥＳと判断されると、第１の通信モジュールを用いて第１の遠隔端末装置４とブルートゥース通信の接続を行うとともに、第２の通信モジュールを用いて第２の遠隔端末装置５と欧州デジタルコードレス電気通信標準（DECT）の通信接続を行い、着信先の遠隔端末と三方通話を行う（Ｓ１１０）。
【００３０】
さらに、図４、図５と共に図６を参照すると、デュアルモード通信用ヘッドセット３の第２の通信モジュールが第２の遠隔端末装置５からの着信信号を検知した際に、着信信号を受けるかどうかを判断する（Ｓ１０４）。
ステップＳ１０４の後に、ＮＯと判断されると、Ｓ１００に戻り、監視操作を引き続き実行する。また、ステップＳ１０４の後に、ＹＥＳと判断されると、第２の通信モジュールを用いて第２の遠隔端末装置５と欧州デジタルコードレス電気通信標準（DECT)の通信接続を行ない、着信先の遠隔端末と両方通話を行う。このとき、第１の通信モジュールは、遠隔端末から着信あるか否かを引き続き監視する（Ｓ１０５）。
【００３１】
第１の通信モジュールが第１の遠隔端末装置４からの割り込み着信信号を検知した際、割り込み着信信号を受けるかどうかを判断する（Ｓ１０９）。ステップＳ１０９の後に、ＮＯと判断されると、Ｓ１０５に戻り監視操作を引き続き実行する。
また、ステップＳ１０９の後に、ＹＥＳと判断されると、第１の通信モジュールを用いて第１の遠隔端末装置４とブルートゥース通信の接続を行うとともに、第２の通信モジュールを用いて第２の遠隔端末装置５と欧州デジタルコードレス電気通信標準（DECT）の通信接続を行ない、着信先の遠隔端末と三方通話を行う（Ｓ１１０）。
【００３２】
以上のように、ユーザは、本実施例のデュアルモード通信用ヘッドセットのみを用いて、２つの異なるネットワークシステム環境の内の何れか一つのネットワークシステムからの着信を選択して受けることで両方通話を行う、或いは、２つの異なるネットワークシステムからの着信を同時に受けて三方通話を行うことができる。
従って、本実施例のデュアルモード通信用ヘッドセットは、室内通話において便利であり、着信を逃さず受話できる利点をユーザにもたらすことができる。
【００３３】
以上に述べた実施例は本考案に於ける好ましい詳細説明及び図面に過ぎず、本考案の実用新案登録請求の範囲を局限するものではない。
【符号の説明】
【００３４】
１        無線電話機セット
１２      無線ダイヤル電話機
１４      通信用台座
１６      一般電話回線ネットワーク
２０      ブルートゥース携帯電話
２２      ブルートゥースヘッドセット
２４      音声着信メッセージ
２６      音声メッセージ
３        デュアルモード通信用ヘッドセット
４        第１の遠隔端末装置
５        第２の遠隔端末装置
６        一般電話回線ネットワーク
３０      磁性体
３１      ブルートゥース通信モジュール
３２      デジタル欧州コードレス電話システム（DECT）通信モジュール
３３      マイクロプロセサ
３４      マイク
３５      スピーカ
３６      第１の通話ボタン
３７      第２の通話ボタン
３８      音量調節ボタン
３９      ヘッドセットケース
５２      ヘッドセット収容溝
５４      磁性部材
５６      ロック手段
５６２    駆動部材
５６４    連結部材
５６６    ロック部材
５６８    弾性部材
Ｓ１      第１の着信信号
Ｓ２      第２の着信信号
Ｓ３      返信信号
Ｓ４      第１の制御信号
Ｓ５      第２の制御信号
Ｓ６      音量制御信号
Ｓ７      通話切断信号
７        ブルートゥース無線通信ネットワーク
８        デジタル欧州コードレス電話システム（DECT）通信ネットワーク
９        共同カバーネットワーク
【図１】
0003163176.tif 000003
【図２】
0003163176.tif 000004
【図３Ａ】
0003163176.tif 000005
【図３Ｂ】
0003163176.tif 000006
【図４】
0003163176.tif 000007
【図５】
0003163176.tif 000008
【図６】
0003163176.tif 000009